【事件の表示】
　特願２００３−５４９７０８「湿り圧縮を用いてガスタービンの動力を増大させる方法と装置」拒絶査定不服審判事件〔平成１５年　６月１２日国際公開、ＷＯ０３／４８５４４、平成１７年　４月２８日国内公表、特表２００５−５１１９４７〕について、次のとおり審決する。
【結　論】
　本件審判の請求は、成り立たない。
【理　由】
第１　手続の経緯　  
　本件出願（以下、「本願」という。）は、２００２年１２月４日（パリ条約による優先権主張２００１年１２月６日、英国）を国際出願日とする出願であって、平成１６年６月３日付けで特許法第１８４条の５第１項に規定する書面が提出され、平成１６年８月３日付けで特許法第１８４条の４第１項に規定する明細書、特許請求の範囲及び要約書の翻訳文が提出され、平成１６年８月３日付けで特許協力条約第３４条補正の翻訳文が提出され、平成１７年１１月３０日付けで明細書及び特許請求の範囲を補正する手続補正書が提出され、平成２０年１１月１４日付けで拒絶理由が通知され、平成２１年４月８日付けで意見書及び手続補正書が提出されたが、平成２１年１０月６日付けで拒絶査定がなされ、これに対し、平成２２年３月８日付けで拒絶査定不服審判が請求されると同時に、同日付けで明細書及び特許請求の範囲を補正する手続補正書が提出され、その後、当審において平成２２年８月４日付けで書面による審尋がなされ、これに対して平成２３年１月２０日付けで回答書が提出されたものである。
　  
　  
第２　平成２２年３月８日付けの手続補正についての補正却下の決定 
［補正却下の決定の結論］  
　平成２２年３月８日付けの手続補正を却下する。  
　  
［理由］  
１　本件補正について  
（１）平成２２年３月８日付けの手続補正書による手続補正（以下、単に「本件補正」という。）は、特許請求の範囲に関しては、本件補正により補正される前の（すなわち、平成２１年４月８日付けの手続補正書によって補正された）特許請求の範囲の以下の（ａ）に示す請求項１ないし２８を、（ｂ）に示す請求項１ないし９に補正するものである。
　
　（ａ）本件補正前の特許請求の範囲  
「【請求項１】
　供給された吸気（１０）を圧縮し、圧縮された空気（１２）を排出するための圧縮機（１，２）と、圧縮機（１，２）から排出された圧縮空気（１２）と共に燃料（９）を燃焼させる燃焼室（８）と、前記燃焼室（８）から排出される高温燃焼空気（１３）によって駆動されるタービン（３）とを備えたガスタービンユニットにおいて、
　前記圧縮機（１，２）が１５よりも大きな圧力比で作動することと、ガスタービンユニットによって発生する軸動力を増大する目的で、吸気（１０）の流れに液体を噴射するために、少なくとも１個の液滴噴射装置（３２）が前記圧縮機（１，２）の上流側に設けられ、前記液滴噴射装置（３２）がガスタービンユニットの軸動力の所望な増大に対応する、液滴の形態の液体流量の追加を許容し、軸動力の所望な増大の場合に、ガスタービンユニットの軸動力の所望な増大に対応する液体流量の追加を可能にする手段が設けられ、この追加が液滴の形態で、実質的に無段階に、そして所定の時間内で直ちに行われ、この所定時間が液滴流量を増大させるために液滴噴射装置（３２）の設計特性によって決定されることを特徴とするガスタービンユニット。
　　【請求項２】
　軸動力の所望な低下の場合に、ガスタービンユニットの軸動力の所望な低下に対応する液体流量の低減を可能にする手段が設けられ、この低減が実質的に無段階にかつ時間間隔内で直ちに行われ、この時間間隔が液滴流量を低減するために液滴噴射装置（３２）の設計特性によって実質的に決定されることを特徴とする請求項１記載のガスタービンユニット。
　　【請求項３】
　前記液滴噴射装置（３２）が実質的に吸気ガイド（２６，２７）の横断面全体にわたる前記液体流量の噴射を許容することを特徴とする、請求項１または２記載のガスタービンユニット。
　　【請求項４】
　付加的に冷却システム（２２〜２５）を備え、この冷却システムがガスタービンユニットの構成要素を冷却するために、圧縮機（１，２）から排出される圧縮空気または部分的に圧縮された空気（２２）を使用し、冷却システム（２２〜２５）が温度と圧力に関して一定の品質の冷却された冷却空気（２５）を生じるように制御される冷却ユニット（２４）を備えていることを特徴とする、請求項１〜３のいずれか一つに記載のガスタービンユニット。
　　【請求項５】
　前記冷却ユニット（２４）が液滴噴射装置（３２）のオン／オフ−コントロールに同期する単一フィードフォワード信号によって制御可能であり、前記冷却ユニット（２４）及び前記液滴噴射装置（３２）の２個のシステムの信号が、互いに相対的に少しだけずらすことが可能であることを特徴とする、請求項４記載のガスタービンユニット。
　　【請求項６】
　冷却された冷却空気（２５）が３００〜４００℃の温度を有するように制御され、±１０℃の誤差を許容し、圧力が１５〜４０バールに維持されることを特徴とする、請求項４または５記載のガスタービンユニット。
　　【請求項７】
　燃料制御弁を備え、この燃料制御弁がガスタービンユニットの所望な燃焼温度を維持するために燃料流量を調節し、液滴噴射装置（３２）のオン／オフ−コントロールに同期する単一フィードフォワード信号によって燃料制御弁を制御することを特徴とする、請求項１〜６のいずれか一つに記載のガスタービンユニット。
　　【請求項８】
　更に、前記圧縮機（１，２）の上流に位置する吸気マニホルド（２６）と、伸縮継手（３１）によって前記吸気マニホルド（２６）に連結され、前記吸気マニホルド（２６）の上流に位置する吸気ダクト（２７）とを備えていることと、液滴噴射装置（３２）が、吸気ダクト（２７）と吸気マニホルド（２６）の間の伸縮継手（３１）に位置し、吸気ダクト（２７）が更に、前記液滴噴射装置（３２）の上流に位置するサイレンサと、吸気ダクト（２７）の入口に位置するフィルタ（２８）を備えていることを特徴とする、請求項１〜７のいずれか一つに記載のガスタービンユニット。
　　【請求項９】
　吸気（１０）を冷却するための付加的な冷却手段（２９，３３）がフィルタ（２８）の下流に位置していることを特徴とする、請求項８記載のガスタービンユニット。
　　【請求項１０】
　液滴噴射装置（３２）が、支持ラック（３７）上に平行に配置された噴霧水ダクト（３５）の格子（３２）を備え、この噴霧水ダクト（３５）の下流側に、噴霧ノズル（３６）が吸気（１０）の流れに滴を噴射するために取付けられていることを特徴とする、請求項１〜９のいずれか一つに記載のガスタービンユニット。
　　【請求項１１】
　液滴噴射装置（３２）によって噴射される液滴の大きさが２〜４０μｍであることを特徴とする、請求項１〜１０のいずれか一つに記載のガスタービンユニット。
　　【請求項１２】
　噴霧ノズル（３６）がガスまたはガスに類似するものと液体を供給する二成分ノズルであることを特徴とする、請求項１０または１１記載のガスタービンユニット。
　　【請求項１３】
　噴霧水ダクト（３５）の間隔と、この噴霧水ダクト（３５）に取付けられた噴霧ノズル（３６）の間隔が、吸気（１０）の流れに均一に滴を分配するために、吸気（１０）の流れに適合させられることを特徴とする、請求項１０〜１２のいずれか一つに記載のガスタービンユニット。
　　【請求項１４】
　液滴噴射装置が圧縮機入口に近接して位置していることを特徴とする、請求項１〜１３のいずれか一つに記載のガスタービンユニット。
　　【請求項１５】
　圧縮機（１，２）が供給された吸気（１０）を圧縮し、圧縮された空気（１２）を排出し、燃焼室（８）が前記圧縮機（１，２）から排出された圧縮空気（１２）と共に燃料（９）を燃焼させ、、タービン（３）が前記燃焼室（８）から排出される高温燃焼空気（１３）によって駆動される、ガスタービンユニットからの軸動力の発生を増大または低減するためのプロセスにおいて、
　前記圧縮機（１，２）が１５よりも大きな圧力比で作動することと、ガスタービンユニットによって発生する軸動力を増大するために、前記圧縮機（１，２）の上流側に設けられた少なくとも１個の液滴噴射装置（３２）によって、液体が吸気（１０）の流れに噴射され、軸動力の所望な増大の場合、ガスタービンユニットの軸動力の所望な増大に対応する液体流量が、液滴の形態で、実質的に無段階に、そして時間間隔内で直ちに追加され、この時間間隔が液滴流量を増大させるために液滴噴射装置（３２）の設計特性によって実質的に決定されることを特徴とするプロセス。
　　【請求項１６】
　軸動力の所望な低下の場合、ガスタービンユニットの軸動力の所望な低下に対応する液体流量が、実質的に無段階に、そして時間間隔内で直ちに低減され、この時間間隔が液滴流量を低減するために液滴噴射装置（３２）の設計特性によって実質的に決定されることを特徴とする、請求項１５記載のプロセス。
　　【請求項１７】
　前記液体流量が実質的に吸気ガイド（２６，２７）の横断面全体にわたって噴射されることを特徴とする、請求項１５または１６記載のプロセス。
　　【請求項１８】
　圧縮機（１，２）から排出される圧縮空気または部分的に圧縮された空気（２２）を用いる冷却システム（２２〜２５）がガスタービンユニットの構成要素を冷却するために使用され、冷却システム（２２〜２５）の冷却ユニット（２４）が冷却された冷却空気（２５）の温度と圧力に関する品質に依存して制御されることを特徴とする、請求項１５〜１７のいずれか一つに記載のプロセス。
　　【請求項１９】
　請求項１〜１４のいずれか一つに記載のガスタービンユニットを使用することを特徴とする、請求項１５〜１８のいずれか一つに記載のプロセス。
　　【請求項２０】
　１０％までガスタービンユニットの動力を増大させるために、前記液滴噴射装置（３２）に供給される液体の０．５〜５質量％が吸気（１０）に噴射され、軸動力を低下させるために同じ量が低減されることを特徴とする、請求項１５〜１９のいずれか一つに記載のプロセス。
　　【請求項２１】
　１０％までガスタービンユニットの動力を増大させるために、前記液滴噴射装置（３２）に供給される液体の１．０〜３．０質量％が吸気（１０）に噴射され、軸動力を低下させるために同じ量が低減されることを特徴とする、請求項１５〜１９のいずれか一つに記載のプロセス。
　　【請求項２２】
　水が２５０バール以下の圧力で噴射されることと、この圧力が１〜６０秒以内に高められることを特徴とする、請求項１５〜２１のいずれか一つに記載のプロセス。
　　【請求項２３】
　水が１００〜１８０バールの圧力で噴射されることと、この圧力が１〜６０秒以内に高められることを特徴とする、請求項１５〜２１のいずれか一つに記載のプロセス。
　　【請求項２４】
　水の圧力が１〜３０秒以内に高められることを特徴とする請求項１５〜２３のいずれか１項に記載のプロセス。
　　【請求項２５】
　ガスタービンユニットに連結されたジェネレータ（５）で得られるガスタービンユニットの動力が、液体流量を直ちに無段階に追加または減少することにより、迅速に増大または減少することを特徴とする、請求項１５〜２４のいずれか一つに記載のプロセス。
　　【請求項２６】
　迅速な増大または減少が、電力網の電力需要の急速な増大または減少に応答して、電力網の周波数の低下または上昇に応答して発生し、電力網の周波数の低下または上昇が、ガスタービンユニットの軸速度の低下または上昇を招き、水を直ちに無段階に追加または減少させることにより、ガスタービンユニットの圧縮機のサージマージンが圧縮機翼区間を冷却することによって増大または減少させられることを特徴とする、請求項２５記載のプロセス。
　　【請求項２７】
　第１のステップでのガスタービンユニットの始動のために、ガスタービンが全負荷で始動され、公知の冷却システム（２９，３３）の場合に、この冷却システムがスイッチを入れられることと、１５〜４５分遅れた後で、液滴噴射装置（３２）によって水が追加されることを特徴とする、請求項１５〜２６のいずれか一つに記載のプロセス。
　　【請求項２８】
　電力を発生するため、機械的な動力を発生するためあるいは航空機の推進の分野での、請求項１〜１４のいずれか一つに記載のガスタービンユニットの使用。」  
　  
　（ｂ）本件補正後の特許請求の範囲  
「【請求項１】
　供給された吸気（１０）を圧縮し、圧縮された空気（１２）を排出するための圧縮機（１，２）と、圧縮機（１，２）から排出された圧縮空気（１２）と共に燃料（９）を燃焼させる燃焼室（８）と、前記燃焼室（８）から排出される高温燃焼空気（１３）によって駆動されるタービン（３）とを備えたガスタービンユニットにおいて、
　前記圧縮機（１，２）が１５よりも大きな圧力比で作動することと、ガスタービンユニットによって発生する軸動力を増大する目的で、吸気（１０）の流れに液体を噴射するために、少なくとも１個の液滴噴射装置（３２）が前記圧縮機（１，２）の上流側に設けられ、前記液滴噴射装置（３２）がガスタービンユニットの軸動力の所望な増大に対応する、液滴の形態の液体流量の追加を許容し、軸動力の所望な増大の場合に、ガスタービンユニットの軸動力の所望な増大に対応する液体流量の追加を可能にする手段が設けられ、この追加が液滴の形態で、実質的に無段階に、そして所定の時間内で直ちに行われ、この所定時間が液滴流量を増大させるために液滴噴射装置（３２）の設計特性によって決定され
、また、燃料制御弁を備え、この燃料制御弁がガスタービンユニットの所望な燃焼温度を維持するために燃料流量を調節し、液滴噴射装置（３２）のオン／オフ−コントロールに同期する単一フィードフォワード信号によって燃料制御弁を制御する
　　【請求項２】
　軸動力の所望な低下の場合に、ガスタービンユニットの軸動力の所望な低下に対応する液体流量の低減を可能にする手段が設けられ、この低減が実質的に無段階にかつ時間間隔内で直ちに行われ、この時間間隔が液滴流量を低減するために液滴噴射装置（３２）の設計特性によって実質的に決定されることを特徴とする請求項１記載のガスタービンユニット。
　　【請求項３】
　前記液滴噴射装置（３２）が実質的に吸気ガイド（２６，２７）の横断面全体にわたる前記液体流量の噴射を許容することを特徴とする、請求項１または２記載のガスタービンユニット。
　　【請求項４】
　圧縮機（１，２）が供給された吸気（１０）を圧縮し、圧縮された空気（１２）を排出し、燃焼室（８）が前記圧縮機（１，２）から排出された圧縮空気（１２）と共に燃料（９）を燃焼させ、、タービン（３）が前記燃焼室（８）から排出される高温燃焼空気（１３）によって駆動される、ガスタービンユニットからの軸動力の発生を増大または低減するためのプロセスにおいて、
　前記圧縮機（１，２）が１５よりも大きな圧力比で作動することと、ガスタービンユニットによって発生する軸動力を増大するために、前記圧縮機（１，２）の上流側に設けられた少なくとも１個の液滴噴射装置（３２）によって、液体が吸気（１０）の流れに噴射され、軸動力の所望な増大の場合、ガスタービンユニットの軸動力の所望な増大に対応する液体流量が、液滴の形態で、実質的に無段階に、そして時間間隔内で直ちに追加され、この時間間隔が液滴流量を増大させるために液滴噴射装置（３２）の設計特性によって実質的に決定され
、また、ガスタービンユニットの所望な燃焼温度を維持するよう燃料制御弁によって燃料流量を調節し、液滴噴射装置がオン／オフ−コントロール信号によって操作され、燃料制御弁が、オン／オフ−コントロール信号に同期する単一フィードフォワード信号を用いた液滴噴射装置によって制御され
　　【請求項５】
　軸動力の所望な低下の場合、ガスタービンユニットの軸動力の所望な低下に対応する液体流量が、実質的に無段階に、そして時間間隔内で直ちに低減され、この時間間隔が液滴流量を低減するために液滴噴射装置（３２）の設計特性によって実質的に決定されることを特徴とする、請求項
４
　　【請求項６】
　圧縮機（１，２）から排出される圧縮空気または部分的に圧縮された空気（２２）を用いる冷却システム（２２〜２５）がガスタービンユニットの構成要素を冷却するために使用され、冷却システム（２２〜２５）の冷却ユニット（２４）が冷却された冷却空気（２５）の温度と圧力に関する品質に依存して制御されることを特徴とする、請求項
４又は５
　　【請求項７】
　水が１００〜１８０バールの圧力で噴射されることと、この圧力が１〜６０秒以内に高められることを特徴とする、請求項
４
６
　　【請求項８】
　迅速な増大または減少が、電力網の電力需要の急速な増大または減少に応答して、電力網の周波数の低下または上昇に応答して発生し、電力網の周波数の低下または上昇が、ガスタービンユニットの軸速度の低下または上昇を招き、水を直ちに無段階に追加または減少させることにより、ガスタービンユニットの圧縮機のサージマージンが圧縮機翼区間を冷却することによって増大または減少させられることを特徴とする、請求項
４〜７のいずれか１項
　　【請求項９】
　第１のステップでのガスタービンユニットの始動のために、ガスタービンが全負荷で始動され
、１
４
８
　
２　本件補正の目的について
　（本件補正後の）特許請求の範囲の請求項４についての本件補正は、本件補正前の請求項１５に「また、ガスタービンユニットの所望な燃焼温度を維持するよう燃料制御弁によって燃料流量を調節し、液滴噴射装置がオン／オフ−コントロール信号によって操作され、燃料制御弁が、オン／オフ−コントロール信号に同期する単一フィードフォワード信号を用いた液滴噴射装置によって制御される」という発明特定事項を付加して限定するものである。しかしながら、前記発明特定事項のうち、「ガスタービンユニットの所望な燃焼温度を維持するよう燃料制御弁によって燃料流量を調節し」及び「燃料制御弁が、オン／オフ−コントロール信号に同期する単一フィードフォワード信号を用いた液滴噴射装置によって制御される」という発明特定事項は、本件補正前の請求項１５に係る発明の発明特定事項を限定するものではない。
　したがって、特許請求の範囲の請求項４についての本件補正は、特許請求の範囲の減縮を目的とするものではない。
　また、特許請求の範囲の請求項４についての本件補正は、請求項の削除、誤記の訂正、明りょうでない記載の釈明を目的とするものでもない。
　したがって、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　
３　独立特許要件について
　仮に、特許請求の範囲の請求項４についての本件補正が特許請求の範囲の減縮を目的とするものであるとしたときに、本件補正後の請求項４に記載された事項により特定される発明（以下、「本願補正発明」という。）が、特許出願の際に独立して特許を受けることができるものであるかについて、以下に検討する。
　
３−１　特開平１１−７２０２９号公報（以下、「引用文献」という。）
（１）引用文献の記載事項 
　本願の優先日前に頒布された刊行物である引用文献には、例えば、以下の記載がある。（なお、下線は当審で付した。） 
　
　（ａ）「【要約】
【課題】実用に適する簡単な設備によって、
圧縮機の入口の導入される吸気中に液滴を噴霧して出力の向上と熱効率の向上の双方を実現できるガスタービンと、それを用いた安全な運転システム
【解決手段】
供給された空気を圧縮して吐出する圧縮機，前記圧縮機から吐出した空気と燃料とが燃焼される燃焼器と、前記燃焼器の燃焼ガスにより駆動されるタービンとを備えたガスタービンにおいて、前記圧縮機の上流側に設置され、前記圧縮機に供給される空気に水滴を噴霧して前記圧縮機に入る空気の温度を外気温度より低下させ、この温度を低下させた空気と共に前記圧縮機に導入される噴霧された前記水滴を前記圧縮機内を流下中に気化するようにした噴霧装置と、前記圧縮機に供給される空気の湿度を検知する検知装置と、前記検知信号に基づいて前記噴霧装置から噴霧する噴霧量を制御する制御装置と、を備える
　
　（ｂ）「【特許請求の範囲】
【請求項１】
供給された空気を圧縮して吐出する圧縮機、前記圧縮機から吐出した空気と燃料とが燃焼される燃焼器と、前記燃焼器の燃焼ガスにより駆動されるタービンとを備えたガスタービンにおいて、前記圧縮機の上流側に設置され、前記圧縮機に供給される空気に水滴を噴霧して前記圧縮機に入る空気の温度を外気温度より低下させ、この温度を低下させた空気と共に前記圧縮機に導入される噴霧された前記水滴を前記圧縮機内を流下中に気化するようにした噴霧装置と、前記圧縮機に供給される空気の湿度を検知する検知装置と、前記検知信号に基づいて前記噴霧装置から噴霧する噴霧量を制御する制御装置と、を備えることを特徴とするガスタービン
　（中略）
【請求項３】供給された空気を圧縮して吐出する圧縮機、前記圧縮機から吐出した空気と燃料とが燃焼される燃焼器と、前記燃焼器の燃焼ガスにより駆動されるタービンとを備えたガスタービンにおいて、
前記圧縮機の上流側に設置され、前記圧縮機に供給される空気に水滴を噴霧して前記圧縮機に入る空気の温度を外気温度より低下させ、この温度を低下させた空気と共に前記圧縮機に導入される噴霧された前記水滴を前記圧縮機内を流下中に気化するようにした噴霧装置と、
前記ガスタービンの起動時には前記噴霧装置からの水滴の噴霧を停止し、ガスタービンが定格運転に移行してから前記噴霧装置からの水滴の噴霧を開始するよう制御する制御装置と、を備えることを特徴とするガスタービン。
　（中略）
【請求項２０】
供給された空気を圧縮して吐出する圧縮機、前記圧縮機から吐出した空気と燃料とが燃焼される燃焼器と、前記燃焼器の燃焼ガスにより駆動されるタービンとを備えたガスタービンにおいて、前記圧縮機の上流側の吸気ダクト内に設置され、前記圧縮機に供給される空気に水滴を噴霧して前記圧縮機に入る空気の温度を外気温度より低下させ、この温度を低下させた空気と共に前記圧縮機に導入される噴霧された前記水滴を前記圧縮機内を流下中に気化するようにした噴霧装置と、前記水滴噴霧停止時に燃焼器へ供給する燃料供給量に対して、前記水滴噴霧時に燃焼器へ供給する燃料供給量を増加させるよう制御する制御装置と、を備えることを特徴とするガスタービン
　（中略）
【請求項２２】供給された空気を圧縮して吐出する圧縮機、前記圧縮機から吐出した空気と燃料とが燃焼される燃焼器と、前記燃焼器の燃焼ガスにより駆動されるタービンとを備えたガスタービンにおいて、
前記燃焼器は、燃料と空気とを予混合させた予混合気を燃焼する予混合器を有し、
前記圧縮機の上流側の吸気ダクト内に設置され、前記圧縮機に供給される空気に水滴を噴霧して前記圧縮機に入る空気の温度を外気温度より低下させ、この温度を低下させた空気と共に前記圧縮機に導入される噴霧された前記水滴を前記圧縮機内を流下中に気化するようにした噴霧装置と、
前記水滴噴霧停止時に対して前記水滴噴霧時に前記予混合気の空気に対する燃料の比率を増加するよう制御する制御装置と、を備えることを特徴とするガスタービン。」（【特許請求の範囲】の請求項１、３、２０及び２２）
　
　（ｃ）「【０００１】
【発明の属する技術分野】
本発明は、ガスタービンに係り、特にガスタービンの圧縮機の吸気中に液滴を噴霧するガスタービンに関する
【０００２】
【従来の技術】
従来ガスタービンは夏期に気温が上昇すると、ガスタービンの出力が低下する
　（中略）
【０００８】実際のガスタービン及びガスタービンと蒸気タービンを用いたコンバインドプラントを考慮すると、出力向上と熱効率向上を簡単な設備で、常にガスタービン本体を保護しながら安全な運転が実現できる運転システムが要求される。
【０００９】そこで、
本発明は実用に適する簡単な設備によって、圧縮機の入口に導入される吸気中に液滴を噴霧して出力の向上と熱効率の向上の双方を実現できるガスタービンと、それを用いた安全な運転システムを提供することを目的とする
　
　（ｄ）「【００１０】
【課題を解決するための手段】
本発明は、供給された空気を圧縮して吐出する圧縮機、前記圧縮機から吐出した空気と燃料とが燃焼される燃焼器と、前記燃焼器の燃焼ガスにより駆動されるタービンとを備えたガスタービンにおいて、前記圧縮機の上流側に設置され、前記圧縮機に供給される空気に水滴を噴霧して前記圧縮機に入る空気の温度を外気温度より低下させ、この温度を低下させた空気と共に前記圧縮機に導入される噴霧された前記水滴を前記圧縮機内を流下中に気化するようにした噴霧装置と、前記圧縮機に供給される空気の湿度を検知する検知装置と、前記検知信号に基づいて前記噴霧装置から噴霧する噴霧量を制御する制御装置と、を備えることを特徴とする
【００１１】例えば、前記検出した信号に応じて前記液滴の噴霧量を制御することができる。
【００１２】例えば、噴霧装置上流の取り込み空気の温度を検出して、温度が高いときより低いときに前記液滴噴霧量が多くなるよう制御する。
【００１３】また、前記制御装置は、前記圧縮機に供給される空気の温度及び湿度を検知する検知装置を有し、前記検知信号に基づいて前記噴霧装置から噴霧する噴霧量を制御することが好ましい。噴霧装置上流の取り込み空気の温度を検出して、温度が高いときより低いときに前記液滴噴霧量が多くなるよう制御し、噴霧装置上流の取り込み空気の湿度が高いときより湿度が低いときに前記液滴噴霧量が多くなるよう制御する。
【００１４】また、
前記噴霧量は出力等の値に基づいて制御する
【００１５】
例えば、前記液滴の水量は、例えば出力等に応じて行う
【００１６】これにより、圧縮機の健全性を確保して高出力のガスタービン運転ができる。取り込み空気に前記液滴を噴霧する際に同空気の湿度を考慮して水噴霧量を調整するので、圧縮機入口までに気化せずに圧縮機内に導入される水滴量を適切に制御することができ、圧縮機入口までに気化させる水滴量と圧縮機内で気化させる水滴量を適切に制御することができる。このため、圧縮機に与える影響を考慮してプラントの健全性を確保しつつ、高出力のガスタービン運転ができる。」（段落【００１０】ないし【００１６】）
　
　（ｅ）「【００２５】第３の発明は、供給された空気を圧縮して吐出する圧縮機、前記圧縮機から吐出した空気と燃料とが燃焼される燃焼器と、前記燃焼器の燃焼ガスにより駆動されるタービンとを備えたガスタービンにおいて、前記圧縮機の上流側に設置され、前記圧縮機に供給される空気に水滴を噴霧して前記圧縮機に入る空気の温度を外気温度より低下させ、この温度を低下させた空気と共に前記圧縮機に導入される噴霧された前記水滴を前記圧縮機内を流下中に気化するようにした噴霧装置と、前記ガスタービンの起動時には前記噴霧装置からの水滴の噴霧を停止し、ガスタービンが定格運転に移行してから前記噴霧装置からの水滴の噴霧を開始するよう制御する制御装置と、を備えることを特徴とする。
【００２６】ガスタービンが定格運転に移行したことを、入口案内翼が所定開度（通常運転時の開度、例えば全開等）で把握するようにできる。また、燃焼温度一定運転になったことで把握してもよい。
【００２７】定格運転に移行したら、例えば、出力要求値と実出力とに差異が生じたら実出力が出力要求値になるよう前記水滴噴霧量を制御するよう運転することができる。
【００２８】これにより、ガスタービンの保護を図りつつ、安全な水噴霧による増出力機構を備えたガスタービンを提供できる。また起動時の流体の状態の変動を抑制して制御を容易にし、起動時の失火等を抑制して燃焼の安定性を高めることができる。これにより、迅速な起動を図り、早期に水噴霧による高出力運転ができるガスタービンを提供することができる。」（段落【００２５】ないし【００２８】）
　
　（ｆ）「【００９８】
第２０の発明は、供給された空気を圧縮して吐出する圧縮機、前記圧縮機から吐出した空気と燃料とが燃焼される燃焼器と、前記燃焼器の燃焼ガスにより駆動されるタービンとを備えたガスタービンにおいて、前記圧縮機の上流側の吸気ダクト内に設置され、前記圧縮機に供給される空気に水滴を噴霧して前記圧縮機に入る空気の温度を外気温度より低下させ、この温度を低下させた空気と共に前記圧縮機に導入される噴霧された前記水滴を前記圧縮機内を流下中に気化するようにした噴霧装置と、前記水滴噴霧停止時に燃焼器へ供給する燃料供給量に対して、前記水滴噴霧時に燃焼器へ供給する燃料供給量を増加させるよう制御する制御装置と、を備える
【００９９】また、
前記水滴噴霧開始に基づいて燃焼器へ供給する燃料供給量が開始前より増加し、前記水滴噴霧停止に基づいて燃焼器へ供給する燃料供給量が停止前より減少させるよう制御する制御装置
【０１００】
また、前記水滴噴霧時においても、前記水滴の噴霧量が少ないとより多いときに燃焼器への燃料投入量を増加させるよう制御する制御装置
【０１０１】また、湿度に応じて、燃料流量を制御する（補正する）ことが好ましい。
【０１０２】タービン入口温度を一定に制御するためガスタービン排気ガス温度を利用する場合、ガスタービン排気ガス温度の検出された値をタービン入口の湿分量に対して補正する方法と、予め決められた排気ガス温度制御線をタービン入口の湿分量に対して補正する方法が考えられる。
【０１０３】具体的には、例えば、未水滴噴霧に基づいて設定した排気温度制御線を、水滴噴霧時は高温側に補正するようにして燃料投入量を増加させてもよい。」（段落【００９８】ないし【０１０３】）
　
　（ｇ）「【０１１１】第２２の発明は、供給された空気を圧縮して吐出する圧縮機、前記圧縮機から吐出した空気と燃料とが燃焼される燃焼器と、前記燃焼器の燃焼ガスにより駆動されるタービンとを備えたガスタービンにおいて、前記燃焼器は、燃料と空気とを予混合させた予混合気を燃焼する予混合器を有し、前記圧縮機の上流側の吸気ダクト内に設置され、前記圧縮機に供給される空気に水滴を噴霧して前記圧縮機に入る空気の温度を外気温度より低下させ、この温度を低下させた空気と共に前記圧縮機に導入される噴霧された前記水滴を前記圧縮機内を流下中に気化するようにした噴霧装置と、前記水滴噴霧停止時に対して前記水滴噴霧時に前記予混合気の空気に対する燃料の比率を増加するよう制御する制御装置と、を備えることを特徴とする。
【０１１２】また、水噴霧量が少ないときより多いときに予混合気の空気に対する燃料の比率が高くなるよう制御することが好ましい。
【０１１３】噴霧水量の変動により、流体の状態が大きく変動する。
【０１１４】しかし、これにより前記水滴噴霧運転時に燃焼状態が不安定になることを抑制することができる。よって、燃焼安定性が高く、水噴霧によるガスタービンの高出力運転を得ることができるガスタービンを提供できる。」（段落【０１１１】ないし【０１１４】）
　
　（ｈ）「【０１２３】
【発明の実施の形態】本発明の第１の実施例を図１，図２を用いて説明する。
【０１２４】本発明の実施例のガスタービンは、図１に示すように、気体を圧縮して吐出する圧縮機１，圧縮機により圧縮機された気体が供給される燃焼器２，燃焼器２の燃焼ガスにより駆動されるタービン３，タービン３軸に連結されている発電機４を備える。ガスタービン排気ガスは排熱回収ボイラ７２に導入され、蒸気タービン７３の作動媒体となる蒸気または水と熱交換を行った後、大気へ排出される。ガスタービン排気ガスと熱交換をし、加熱された蒸気により駆動される蒸気タービン７３は発電機４と直結される。蒸気タービン７３より排出された蒸気は、復水器７４で冷却され液体の水に凝縮される。圧縮機１には、圧縮機１に供給する空気を取り込む吸気室１１から吸気を取り入れている。また、吸気室１１の上流側には、ルーバ１０が配置されているのが一般的である。ルーバ１０は圧縮機側（後流側）に空気フィルタを配置する。ルーバ１０の位置のすぐ後ろに空気フィルタを設けているので記載を省略する。吸気室１１の下流に吸気ダクト１３が接続されており、吸気ダクト内にはサイレンサ１２が設置されている。また、吸気ダクト１３内には、サイレンサ下流に噴霧水配管１５，噴霧空気配管１６を備え、噴霧水配管１５および噴霧空気配管１６から水および空気が供給されて水滴を噴霧する噴霧ノズル１７が設置されている。吸気ダクト１３は圧縮機吸気部１４と接続され、空気を圧縮機１へ導入する。尚、噴霧水配管１５および噴霧空気配管１６は複数系統設置される。図ではその一系統を例示した。
【０１２５】噴霧水は補給水タンク１８から、異物除去用ストレーナ１９，給水ポンプ２０，給水遮断弁２１，給水流量調節弁２２，水流量計２３，異物除去用フィルタ２４を介し、給水を複数の噴霧水配管１５に導く給水ヘッダ２５に供給される。給水ヘッダ２５から、給水ヘッダ出口流量調節弁２６を介し噴霧水配管１５へ水が供給される。」（段落【０１２３】ないし【０１２５】）
　
　（ｉ）「【０１８３】本発明の第４の実施例を図１，図５，図６を用いて説明する。
【０１８４】本実施例は、圧縮機に入る空気（入口空気）の温度に基づいて噴霧ノズル１７からの水滴量を制御する。
【０１８５】具体的には、例えば、圧縮機入口温度が低いときより高いときに噴霧ノズル１７からの水噴霧量を多くする。或いは、水噴霧量の制限値を、圧縮機入口温度が低いときより高いときに高くなるよう可変にする。
　（中略）
【０１９９】
また、月日や時刻により水噴霧するモードスイッチを備えることが好ましい。月日や時刻の条件には、予め電力需要の大きい時期、あるいは、大気温度上昇に伴いガスタービン出力が低下する時期として、例えば、４月から１１月、９時から１８時などを条件とする
　
　（ｊ）「【０３１５】本発明の第１０の実施例を図１，図１９，図２０を用いて説明する。
【０３１６】
水噴霧ノズルからの水噴霧量が少ないときより、多いときの方が燃焼器２への燃料投入量を増加させるよう制御する。このように水噴霧ノズルからの噴霧量に応じて、燃焼器燃料流量を補正する
【０３１７】
図１９は、圧縮機に供給される空気の湿度及び噴霧ノズル１７の水噴霧量を検知して、それに基づいて燃焼器２への燃料投入量を制御（或いは補正）する一例を示す
【０３１８】圧縮機吐出の絶対湿度と燃焼器の蒸気または水噴射量による、ガスタービン排気ガス温度を補正する。排ガス温度制御線を高めに設定変更するか、或いは排気ガス温度計測値を補正して、燃料投入量を増加させる。
【０３１９】ガスタービンは、定格負荷では燃焼温度一定に維持して運転するのが一般的である。しかし、直接燃焼温度を計測するのは燃焼温度が極めて高く困難であるため、燃焼温度の代わりにガスタービン排気ガス温度を計測する。燃焼温度を一定にするため、圧縮機吐出圧力または圧縮機圧力比と関係させて排気ガス温度制御線を予め決めておき、制御線上に計測値が乗るように、燃料流量を制御する。圧縮機上流で水噴霧を実施するガスタービンでは、吸気ダクト１３内と圧縮機１内で気化した水により、圧縮機吐出空気の絶対湿度は通常より増加し、増加した湿分によってタービン入口のガス成分が変わり、タービン内の作動媒体となるガスの比熱比が変化する。この場合、湿分の増加がタービン効率に与える影響は小さいが、ガス成分の変化による比熱比の低下が支配的であり、燃焼温度を一定に維持しようとすると排気温度が上昇する。
【０３２０】従って、実際のガスタービンの制御において、比熱比の違いとは無関係に同一の排気温度制御線を使用すると、タービン入口で湿分が多い場合に設計値より低い燃焼温度で運転することになり、出力向上効果を最大限に発揮することができない。
【０３２１】
そこで、水噴霧ノズルからの水噴霧量が少ないときより、多いときの方が燃焼器２への燃料投入量を増加させるよう制御する
　
　（ｋ）「【０３４５】
【発明の効果】
本発明により、実用に適する運転制御方法によって、圧縮機入口に導入される吸気中に水滴を噴霧して出力の向上と熱効率の向上の双方を実現できるガスタービン及びその制御装置を提供できる
　
（２）上記（１）（ａ）ないし（ｋ）及び図面の記載から分かること  
　 
　（ア）上記（１）（ａ）ないし（ｋ）及び図面の記載から、引用文献には、圧縮機１が供給された気体を圧縮し、圧縮された気体を吐出し、燃焼器２が前記圧縮機１から吐出された圧縮された気体と共に燃料を燃焼させ、タービン３が前記燃焼器２から排出される燃焼ガスによって駆動される、ガスタービンからの出力を増加させるための方法が記載されていることが分かる。
　
　（イ）上記（１）（ａ）ないし（ｋ）及び図面の記載から、引用文献に記載された、ガスタービンからの出力を増加させるための方法において、ガスタービンからの出力を増加させるために、前記圧縮機１の上流側に設けられた少なくとも１個の噴霧装置によって、水滴が吸気中に噴霧され、出力を増加させる場合、ガスタービンの出力の増大に対応する噴霧量が、水滴の形態で、実質的に無段階に、噴霧されるものであることが分かる。
　
（３）引用発明
　上記（１）及び（２）並びに図面の記載から、引用文献には、次の発明（以下、「引用発明」という。）が記載されているといえる。
　
「圧縮機１が供給された気体を圧縮し、圧縮された気体を吐出し、燃焼器２が前記圧縮機１から吐出された圧縮された気体と共に燃料を燃焼させ、タービン３が前記燃焼器２から排出される燃焼ガスによって駆動される、ガスタービンからの出力を増加させるための方法において、
　ガスタービンからの出力を増加させるために、前記圧縮機１の上流側に設けられた少なくとも１個の噴霧装置によって、水滴が吸気中に噴霧され、出力を増加させる場合、ガスタービンの出力の増加に対応する噴霧量が、水滴の形態で、噴霧される方法。」
　
３−２　本願補正発明と引用発明との対比
　本願補正発明と引用発明とを対比するに、引用発明における「圧縮機１」は、その形状・構造又は技術的意義からみて、本願補正発明における「圧縮機」に相当し、以下同様に、「気体」は「吸気」に、「圧縮された気体」は「圧縮された空気」及び「圧縮空気」に、「燃焼器２」は「燃焼室」に、「タービン３」は「タービン」に、「吐出された」は「排出された」に、「燃焼ガス」は「高温燃焼空気」に、「ガスタービン」は「ガスタービンユニット」に、「出力」は「軸動力の発生」及び「軸動力」に、「増加」は「増大」に、「噴霧装置」は「液滴噴射装置」に、「水滴」は「液体」に、「吸気中」は「吸気の流れ」に、「出力を増加させる」は「軸動力の所望な増大」に、「噴霧量」は「液滴流量」に、「水滴」は「液滴」に、「噴霧される」は「追加される」に、「方法」は「プロセス」に、それぞれ、相当する。
　
　してみると、本願補正発明と引用発明は、 
「圧縮機が供給された吸気を圧縮し、圧縮された空気を排出し、燃焼室が前記圧縮機から排出された圧縮空気と共に燃料を燃焼させ、タービンが前記燃焼室から排出される高温燃焼空気によって駆動される、ガスタービンユニットからの軸動力の発生を増大または低減するためのプロセスにおいて、
　ガスタービンユニットによって発生する軸動力を増大するために、前記圧縮機の上流側に設けられた少なくとも１個の液滴噴射装置によって、液体が吸気の流れに噴射され、軸動力の所望な増大の場合、ガスタービンユニットの軸動力の所望な増大に対応する液体流量が、液滴の形態で、追加されるプロセス。」 
　である点で一致し、次の（ａ）ないし（ｃ）の点で相違又は一応相違する。  
　
＜相違点＞
　（ａ）本願補正発明においては、圧縮機が１５よりも大きな圧力比で作動するのに対し、引用発明においては、圧縮機がどのような圧力比で作動するか明らかでない点（以下、「相違点１」という。）。
　（ｂ）本願補正発明においては、「液滴噴射装置によって、液体が実質的に無段階に、そして時間間隔内で直ちに追加され、この時間間隔が液滴流量を増大させるために液滴噴射装置の設計特性によって実質的に決定され」るのに対し、引用発明においては、本願補正発明における「液滴噴射装置」に相当する「噴霧装置」が、そのように噴霧されるかどうか明らかでない点（以下、「相違点２」という。）。
　（ｃ）本願補正発明においては、「ガスタービンユニットの所望な燃焼温度を維持するよう燃料制御弁によって燃料流量を調節し、液滴噴射装置がオン／オフ−コントロール信号によって操作され、燃料制御弁が、オン／オフ−コントロール信号に同期する単一フィードフォワード信号を用いた液滴噴射装置によって制御される」のに対し、引用発明においては、そのように制御されるかどうか明らかでない点（以下、「相違点３」という。）。
　
３−３　相違点についての検討 
（ａ）相違点１について
　ガスタービン用の圧縮機において、圧力比を１５より大きな圧力比とすることは、周知技術（以下、「周知技術１」という。例えば、特開平１１−３１５８００号公報の段落【０００８】、特表昭６３−５００１９３号公報の請求項１及び１７、特開平１０−２８８０４７号公報の段落【０００５】、【００１８】、特開平８−２７０４５９号公報の段落【０００６】等の記載を参照。）にすぎない。
　したがって、引用発明において、周知技術１を採用することにより、上記相違点１に係る本願補正発明の発明特定事項をなすことは、当業者が容易に想到できたことである。
　
（ｂ）相違点２について
　噴霧装置の噴霧量を、実質的に無段階とすることは、当業者が適宜なし得る設計的事項にすぎない。また、引用発明においては、例えば噴霧量を出力や空気温度等の値に基いて制御する（段落【００１４】ないし【００１６】を参照。）ことができ、また、月日や時刻により水噴霧するモードスイッチを備える（段落【０１９９】を参照。）ことから、（比較的短い）時間間隔内で直ちに追加されるといえる。また、時間間隔が噴霧装置の設計特性によって決定されるのは、当然のことといえる。
　したがって、引用発明において、上記相違点２に係る本願補正発明の発明特定事項をなすことは、当業者が容易に想到できたことである。
　
（ｃ）相違点３について
　引用発明においても、定格運転においては、燃焼温度一定運転になる（段落【００２６】を参照。）。また、ガスタービンにおいて、燃料制御弁によって燃料流量を調節することは周知技術（以下、「周知技術２」という。例えば、特開平３−１８２６３８号公報の燃料制御弁１２を参照。）にすぎない。
　また、引用発明において、ガスタービンが定格運転に移行してから噴霧装置からの水滴の噴霧を開始するように制御（段落【００２５】ないし【００２７】を参照。）したり、月日や時刻により水噴霧するモードスイッチを備える（段落【０１９９】を参照。）ことから、噴霧装置はオン／オフ−コントロール信号によって操作されているといえる。
　さらに、引用発明において、「水滴噴霧時に燃焼器へ供給する燃料供給量を増加させるよう制御する」（特許請求の範囲の請求項２０及び段落【００９８】ないし【０１００】を参照。）ことから、「燃料供給量（を制御する燃料制御弁）が、噴霧装置によって制御される」といえる。その際、噴霧装置のオン／オフ−コントロール信号に同期する単一フィードフォワード信号を燃料供給量の制御に用いることは、当業者が適宜なし得る設計的事項にすぎない。
　したがって、引用発明において、上記相違点３に係る本願補正発明の発明特定事項をなすことは、当業者が格別の困難なく想到できたことである。
　
　また、本願補正発明を全体としてみても、引用発明並びに周知技術１及び２から想定される以上の格別の作用効果を奏するものとは認められない。  
　
　以上のように、本願補正発明は、引用発明並びに周知技術１及び２に基づいて、当業者が容易に発明をすることができたものであるから、特許法第２９条第２項の規定により、特許出願の際独立して特許を受けることができないものである。 
　 
３−４　むすび  
　以上のとおり、仮に、特許請求の範囲の請求項４についての本件補正が特許請求の範囲の減縮を目的とするものであるとしても、本件補正は、平成１８年法律第５５号改正附則第３条第１項によりなお従前の例によるとされる同法による改正前の特許法第１７条の２第５項において準用する同法１２６条第５項の規定に違反するので、同法第１５９条第１項において読み替えて準用する同法第５３条第１項の規定により却下すべきものである。
　
　よって、結論のとおり決定する。  
　 
　 
第３　本願発明について  
１　本願発明  
　平成２２年３月８日付けの手続補正は上記のとおり却下されたので、本件出願の請求項１５に係る発明（以下、「本願発明」という。）は、上記第２の［理由］１　（１）（ａ）の請求項１５に記載された事項により特定されるとおりのものである。  
　
２　特開２００１−２３４７５５号公報（以下、「刊行物」という。）
（１）刊行物の記載事項
　原査定の拒絶理由に引用された刊行物には、例えば、以下の記載がある（なお、下線は当審で付した。）
　
　（ａ）「【０００１】
【発明の属する技術分野】
本発明はガスタービンプラントに係わり、特に圧縮機の吸い込み気体に液滴噴霧装置により液滴を混合し、吸い込み気体を冷却するようにしたガスタービンプラントに関するものである
【０００２】
【従来の技術】例えば、夏期など気温が上昇するとガスタービンの出力は減少する。今までにも、ガスタービン出力のみの回復方法として様々な方法や構成が考えられ、試みられてきた。例えば、特開平９−２３６０２４号公報には、ガスタービン出力の回復およびガスタービンを含むプラントの発電効率向上のための一つの方法が開示されている。
【０００３】すなわち、このものは、
圧縮機の上流側に設けられている吸気室内に微細液滴を噴出する噴霧装置を設け、この噴霧装置にて吸い込み空気（吸気）に微細液滴を噴霧するようにしたものである。すなわち、吸気は液滴を含んで噴霧流を形成し、一部蒸発して吸気を冷却したのち圧縮機に流入される。吸気に含まれる液滴は、圧縮機の内部で気化し、圧縮空気を冷却する。圧縮機出口の空気温度が低下することは圧縮機の所要動力の低減をもたらし、ガスタービンの出力の低下を防止するように作用するのである
　
　（ｂ）「【０００７】
【課題を解決するための手段】
すなわち本発明は、圧縮機の気体吸い込み側に設けられた吸気室と、この吸気室の内部に配置され、圧縮機の吸い込み気体に液滴を噴霧する液滴噴霧装置とを備え、前記圧縮機の吸い込み気体に液滴を混合し冷却するようにしたガスタービンプラントにおいて、前記液滴噴霧装置が、前記吸気室内の吸気流路にほぼ垂直な断面内に張り巡らされた液滴噴霧ノズル管と、この液滴噴霧ノズル管に所定の間隔をおいて設けられた複数の液滴噴霧ノズルとを備え
【０００８】また本発明は、燃焼用気体を圧縮する圧縮機と、この圧縮機の気体吸い込み側に設けられた吸気室と、この吸気室の内部に配置され、圧縮機の吸い込み気体に液滴を噴霧する液滴噴霧装置とを備え、前記圧縮機の吸い込み気体に液滴を混合し冷却するようにしたガスタービンプラントにおいて、前記液滴噴霧装置が、前記吸気室内の吸気流路にほぼ垂直な断面内に張り巡らされた液滴噴霧ノズル管と、この液滴噴霧ノズル管に所定の間隔をおいて設けられた複数の液滴噴霧ノズルとを備え、前記液滴噴霧ノズルの噴霧する液滴量を、吸気室の断面内で気体流速の速い箇所では増大させ、かつ気体流速の遅い箇所では減少させるようにしたものである。
【０００９】また、この場合、前記液滴噴霧ノズルを有する液滴噴霧ノズル管を、吸い込み気体の流通方向に所定の間隔をおいて複数段配置するようにしたものである。
【００１０】また、本発明は、圧縮機の気体吸い込み側に設けられた吸気室と、この吸気室の内部に配置され、圧縮機の吸い込み気体に液滴を噴霧する液滴噴霧装置とを備え、前記圧縮機の吸い込み気体に液滴を混合し冷却するようにしたガスタービンプラントにおいて、前記液滴噴霧装置が、夫々噴霧ノズル数の異なる液滴噴霧ノズル管を吸い込み気体の流通方向に複数段配置したノズル管群を備え、前記ノズル管群のノズル管を、ノズル管群から吸い込み気体に噴霧される液滴量が、吸気室の断面内で気体流速の速い部分では多く、かつ気体流速の遅い部分では少なくなるように配置したものである。
【００１１】また、圧縮機の気体吸い込み側に設けられた吸気室と、この吸気室の内部に配置され、圧縮機の吸い込み気体に液滴を噴霧する液滴噴霧装置とを備え、前記圧縮機の吸い込み気体に液滴を混合し冷却するようにしたガスタービンプラントにおいて、前記液滴噴霧装置が、夫々噴霧量の異なる噴霧ノズルを有する液滴噴霧ノズル管を、吸い込み気体の流通方向に複数段配置したノズル管群を備え、前記ノズル管群のノズル管を、ノズル管群から吸い込み気体に噴霧される液滴量が、吸気室の断面内で気体流速の速い部分では多く、かつ気体流速の遅い部分では少なくなるように配置したものである。
【００１２】
また、この場合、前記噴霧装置から吸い込み気体中に噴霧される総液滴量を、ガスタービンの出力に対応するように制御するようにしたものである
【００１３】すなわちこのように形成されたガスタービンプラントであると、液滴噴霧装置が、吸気流路に張り巡らされた液滴噴霧ノズル管、およびこの液滴噴霧ノズル管に設けられた液滴噴霧ノズルを備え、前記液滴噴霧ノズルを、吸気室の断面内で気体流速の速い箇所では密に配置し、かつ気体流速の遅い箇所では粗となるように配置したので、吸気室断面内における流速の速い部分に噴霧される液滴量は、流速の遅い部分に噴霧される液滴量に比して大きくなり、液滴噴霧装置下流での吸い込み気体に含まれる液滴個数密度は流路形状（吸気室の構造、形状）に関係なく均一化され、したがって、圧縮機の吸い込み側の構成がいかなる構成であっても、吸い込み空気に均一に液滴を含ませて吸い込み空気を充分均一に冷却することができ、ガスタービンプラントの出力の向上を達成することができるのである。」（段落【０００７】ないし【００１３】）
　
　（ｃ）「【００１４】
【発明の実施の形態】以下図示した実施例に基づいて本発明を詳細に説明する。図１にはそのガスタービンプラントの概略系統および液滴噴霧装置の要部が示されている。ガスタービンプラントは、気体を圧縮して吐出する圧縮機１、この圧縮機により圧縮された気体が供給される燃焼器５、この燃焼器にて生成された燃焼ガスにより駆動されるタービン２、そのタービン軸に連結されている発電機３、この発電機により生じた電気を送電する送電端４を備えている。なお、ガスタービンからの排気７（審決注；「排気８」の誤記と認める。）は、スタック８（審決注；「スタック９」の誤記と認める。）から大気中に排出される。
【００１５】以下の説明で、特に注釈がなければ、上記と同じ名称のものは同じ番号が付されている。また以下では、圧縮機１に供給する気体が空気、圧縮機１に供給する空気に噴霧する液滴が水である場合に限定して説明するが、圧縮機１に供給する気体は、特に空気でなくても良く、例えば、化学合成などで生成された酸素を含む気体でもよい。また、噴霧する液滴も特に水でなくともよく、例えば、アルコールなどの揮発性液体であってもよい。
【００１６】圧縮機１の吸気側には、圧縮機１に供給される吸い込み空気（吸気）６を取り込む吸気室１２が連結されており、さらに、この吸気室１２の上流側には、ルーバ１１が配置されている。なお、ルーバ１１の圧縮機側（後流側）直後には、空気フィルタが配置されているのが普通であるが、ここではその記載は省略してある。また、この図ではルーバ１１が吸気室１２の上流側に配置された形態を記載したが、空気フィルタが吸気室の途中にある場合には、吸気室１２は、その空気フィルタより下流側の圧縮機入口までの吸気流路を示す。
【００１７】吸気室１２の内部には、微細液滴を噴出する噴霧装置，例えば、液滴噴霧ノズル管５１および液滴噴霧ノズル５２が配置される。噴出される液滴の Sautor 平均粒子径（S.M.D）は、例えば１０μｍ程度である。
【００１８】液滴噴霧ノズル５２には給水手段２０が接続されている。液滴噴霧ノズル５２が、このような微粒化手段を備えている場合には給水手段２０のみが接続されていればよいが、液滴噴霧ノズル５２に微粒化手段がない場合には微粒化手段を備えてもよい。例えば、液滴噴霧ノズル５２に圧縮空気を供給することで液滴噴霧ノズル５２から噴出される液滴を微粒化する給気手段３０を備える。
【００１９】給気手段３０は、流量を調節する調節弁３１、圧縮された空気を供給する加圧空気供給手段３２を有する。この加圧空気供給手段３２としては、例えば、外気を取り込んで圧縮した空気を供給する加圧器３３を備える。また、加圧空気供給手段３２として圧縮機１の中間段から加圧空気を抽気して調節弁３１へ供給する経路を備えてもよい。
【００２０】
給水手段２０は、流量を調節する調節弁２１、給水ポンプ２２、給水タンク２３、給水タンク２３に給水する給水装置２４を有する。調節弁２１、３１は噴霧制御装置４０によって、その開度が制御される
【００２１】
噴霧制御装置４０としては、例えば、発電機３の出力に基づく信号と負荷指令信号Ｐｄ４１とが加算部を経て、調節弁２１、３１等の開度信号やその他の指令を出力する関数発生器４２、関数発生器４２と調節弁２１、３１とが電気的につながっている信号ケーブル４３を有する
【００２２】
液滴噴霧ノズル５２から噴霧する液滴量は、噴霧制御装置４０によって制御される。例えば、発電機３の出力が低下した場合には、発電機３の出力を増大させるために調節弁２１、３１の開度が大きくなるように、また、発電機３の出力が増大した場合には、発電機３の出力を減少させるために調節弁２１、３１の開度が小さくなるように、発電機３の出力基づく信号と負荷指令信号Ｐｄ４１を受け取った関数発生器４２から調節弁２１、３１へ信号を送るようにする
【００２３】吸気６は、ルーバ１１を通過して吸気室１２に至る。給水タンク２３の水は所定の開度の調節弁２１を通り、給水手段２０を経て液滴噴霧ノズル５２から微細液滴が噴出する。微細液滴を噴出するのに給気手段３０からの給気が必要な場合には、併せて調節弁３１を所定の開度にして給気し、噴霧液滴の粒径を調整する。吸気６は液滴を含んで噴霧流を形成し、一部蒸発して吸気を冷却したのち圧縮機１に流入する。吸気６に含まれる液滴は、圧縮機１の内部で気化し、圧縮空気を冷却する。
【００２４】圧縮機１内で実質的に気化したのち、圧縮空気は燃焼器５で燃料７と混合し、高温高圧のガスとなってタービン２に流入して仕事をし、機械エネルギーが生成される。発電機３で機械エネルギーは電気エネルギーに変換され、送電端４に供給される。仕事を終えた排ガス７は、スタック８から放出される。
【００２５】圧縮機１内では、空気は断熱圧縮される。断熱圧縮により空気温度は上昇するが、空気に含まれた液滴の気化により圧縮機１内の空気温度は低下する。圧縮機の動力は圧縮機出入口の空気のエンタルピの差に等しく、空気エンタルピは空気温度に比例するので、圧縮機出口の空気温度の低下は圧縮機所要動力の低減をもたらす。
【００２６】圧縮機内部空気の冷却によってタービン出力は増減しないので、
タービン出力から圧縮機動力を差し引いたガスタービン正味出力は水噴霧により増加する
　
　（ｄ）「【００２７】液滴噴霧によるガスタービンの増出力効果について、図２を用いて説明する。図２の実線（ａ）は、吸気に含まれる液滴個数が噴霧装置下流の吸気室内で場所によらず均一である場合の噴霧液滴量に対するガスタービン増出力を表わし、破線（ｂ）は、吸気に含まれる液滴個数が噴霧装置下流の吸気室内で不均一である場合の噴霧液滴量に対するガスタービン増出力を表わす。
【００２８】液滴噴霧によるガスタービンの増出力は、圧縮機入口までの吸気室内での吸気の冷却に起因するもの、圧縮機内での吸気の冷却に起因するもの、に分けられる。
【００２９】噴霧水は吸気室内で湿り飽和空気になるまで気化できるので、噴霧水量が少ない時には、吸気に含まれる液滴密度が均一・不均一を問わず圧縮機に到達される前に蒸発され、ガスタービン増出力の差はほとんど生じない。この時、ガスタービン出力は噴霧水量に比例して増加する。
【００３０】噴霧液滴量をさらに多くしていくと、均一蒸発の場合には吸気室内で気化できる液滴が、不均一蒸発では吸気室内で気化できなくなる。噴霧水量ｒ１％（対空気比）は、不均一蒸発の場合に吸気室内で蒸発できる最大値を表わす。噴霧水量ｒ２％（対空気比）は、均一蒸発の場合に吸気室内で蒸発できる最大値を表わし、この時、圧縮機入口に供給される吸気の全てが湿り飽和空気となっている。
【００３１】圧縮機内での吸気冷却によるガスタービンの増出力効果は、吸気室内での吸気冷却によるガスタービンの増出力効果に比べて小さい。また、単位液滴量の気化によるガスタービン増出力効果は均一蒸発と不均一蒸発の間に有意な差はない。その結果、噴霧水量（対空気比）がｒ３（＞ｒ１、ｒ２）％の時、均一蒸発の場合にガスタービン増出力がＡ％であるとすると、不均一蒸発の場合にはＡ´％となり、Δ＝Ａ−Ａ´％が、液滴噴霧方法の差によるガスタービン出力増加の差となる。ｒ１およびｒ２は空気の温度および湿度によってその値が異なるが、ｒ１とｒ２の関係（ｒ２＞ｒ１）は常に成り立つ。噴霧水量（対空気比）が１％の時、均一蒸発ではガスタービン増出力は約１０％となる。
【００３２】また、大気温度３０℃、相対湿度５０％の空気が湿り飽和空気になるまで噴霧水が気化したとすると、空気温度は２３℃まで低下する。均一蒸発の場合には、ほぼ湿り飽和空気になるまで噴霧水を気化できるので、上記大気条件（大気温度３０℃、相対湿度５０％）下では、約７℃の空気温度低下を達成することができる。
【００３３】
実際的には、噴霧された液滴は約１秒以内で圧縮機へと供給される
【００３４】よって、不均一蒸発の場合には最大で、取り込む吸気温度（外気温度）とその吸気の大気条件下での湿り飽和蒸気に達した時の温度との差だけ生じる。
【００３５】均一蒸発の場合には、圧縮機入口付近での吸気室に対して垂直な断面内での吸気温度の差が、例えば、１℃以内となっている。すなわち、液滴噴霧による吸気冷却効果は、圧縮機入口付近で、均一蒸発の方が不均一蒸発よりも吸気の平均温度が低くなっている。」（段落【００２７】ないし【００３５】）
　
　（ｅ）「【００６６】本発明の第４の実施例を、図１のガスタービンプラントの系統図を用いて説明する。前記第１の実施例または前記第２の実施例または前記第３の実施例に対して、
液滴噴霧量がガスタービン出力に応じて変化させている
【００６７】
ベースロード運転時において、調節弁２１、３１が所定の開度で所望の量および粒径の液滴が液滴噴霧ノズル５２より噴出されているとすると、出力が減少して、その減少分を回復するためにタービン２の出力信号を受け取った関数発生器４２は、調節弁２１の開度が大きくなるように信号ケーブル４３を介して調節弁２１へ信号を送る
【００６８】
所定の量の水が調節弁２１を通過して液滴噴霧ノズル５２に導かれるとともに、噴出される液滴が所望の粒径となるように関数発生器４２で演算し、調節弁３１へ開度信号は信号ケーブル４３を通じて調節弁３１へ送られる
【００６９】
逆に、出力増大時、その増大分を減少させるためにタービン２の出力信号を受け取った関数発生器４２は、調節弁２１の開度が小さくなるように信号ケーブル４３を介して調節弁２１へ信号を送られる
【００７０】
所定の量の水が調節弁２１を通過して液滴噴霧ノズル５２に導かれるとともに、噴出される液滴が所望の粒径となるように関数発生器４２で演算し、調節弁３１へ開度信号は信号ケーブル４３を通じて調節弁３１へ送られる
【００７１】ただし、液滴の粒径が大きくなると前述のように圧縮機内翼の損傷およびケーシングの変形をもたらすため、調節弁３１の開度の下限は、調節弁２１の開度信号が最大時に所望の粒径の液滴となるように設定する。
【００７２】液滴噴霧量の噴霧制御装置４０による制御は、ガスタービン出力だけでなく吸気６の温度または湿度などの吸気条件によって行なってもよい。この場合、例えば、吸気６の温度および湿度の実測値が関数発生器４２へ送られ、調節弁２１の開度を調節する開度信号が、ガスタービン出力および吸気温度および吸気湿度の関数として関数発生器４２にて演算されるようにする。得られた結果は信号ケーブル４３を通じて調節弁２１へ送られる。このとき調節弁３１の開度は所望の粒径の液滴が得られるようにその開度が調節される。」（段落【００６６】ないし【００７２】）
　
　（ｆ）「【図面の簡単な説明】
【図１】本発明のガスタービンプラントの一実施例を示す概略系統図である。
【図２】噴霧水量とガスタービン出力増加率の関係を示す図である。
【図３】管内での流体の速度分布を示す図である。
【図４】本発明のガスタービンプラントの他の実施例を示す概略系統図である。
【図５】本発明のガスタービンプラントの他の実施例を示す概略系統図である。
【図６】本発明のガスタービンプラントの他の実施例を示す概略系統図である。
【図７】本発明のガスタービンプラントの他の実施例を示す概略系統図である。
【図８】本発明のガスタービンプラントの他の実施例を示す概略系統図である。
【図９】本発明のガスタービンプラントの他の実施例を示す概略系統図である。
【符号の説明】
１…圧縮機、２…タービン、３…発電機、４…送電端、５…燃焼器、６…吸気、７…燃料、８…排気、９…スタック、１０…吸気口、１１…ルーバ、１２…吸気室、２０…給水手段、２１…調節弁、２２…給水ポンプ、２３…給水タンク、２４…給水供給装置、３０…給気手段、３１…調節弁、３２…加圧空気供給手段、３３…加圧器、４０…噴霧制御装置、４１…要求負荷信号、４２…関数発生器、４３…信号ケーブル、４４…流速計、４５…流速信号、５１…液滴噴霧ノズル管、５２…液滴噴霧ノズル、６０…吸気冷却設備、６１…空気冷却器、６２…外部冷却源、６３…外部冷媒供給ポンプ。」（【図面の簡単な説明】及び【符号の説明】）
　
（２）上記（１）（ａ）ないし（ｆ）及び図面の記載から分かること
　
　（ア）上記（１）（ａ）ないし（ｆ）及び図面の記載から、刊行物には、圧縮機１が供給された吸気６を圧縮し、圧縮された空気を排出し、燃焼器５が前記圧縮機１から排出された圧縮空気と共に燃料７を燃焼させ、タービン２が前記燃焼器５から排出される燃焼ガスによって駆動される、タービン出力（すなわち、発電機３の出力）を増大または減少させるための方法が記載されていることが分かる。
　
　（イ）上記（１）（ａ）ないし（ｆ）及び図面の記載から、刊行物に記載されたガスタービンの出力を増大または減少させるための方法において、ガスタービンの出力を増大させるために、圧縮機１の上流側に設けられた少なくとも１個の液滴噴霧装置によって、液体が圧縮機の吸い込み気体に噴霧され、出力を増大させるために、タービン出力（すなわち、発電機３の出力）を増大させるための量の水（液体）が、液滴の形態で、実質的に無段階に、時間間隔内で直ちに（段落【００３３】の記載によれば、「約１秒以内」）供給されることが分かる。また、この「時間間隔」は、当然、液滴噴霧装置の設計特性によって実質的に決定されるものである。
　
（３）刊行物記載の発明
　上記（１）及び（２）並びに図面の記載から、刊行物には、次の発明（以下、「刊行物記載の発明」という。）が記載されているといえる。
　
「圧縮機１が供給された吸気６を圧縮し、圧縮された空気を排出し、燃焼器５が前記圧縮機１から排出された圧縮空気と共に燃料７を燃焼させ、タービン２が前記燃焼器５から排出される燃焼ガスによって駆動される、タービン出力を増大または減少させるための方法において、
　タービン出力を増大させるために、前記圧縮機１の上流側に設けられた少なくとも１個の液滴噴霧装置によって、液体が圧縮機の吸い込み気体に噴霧され、タービン出力を増大させるために、タービン出力を増大させる量の液体が、液滴の形態で、直ちに供給され、この時間間隔が液滴流量を増大させるために液滴噴霧装置の設計特性によって実質的に決定される、方法。」
　
３　本願発明と刊行物記載の発明との対比
　本願発明と刊行物記載の発明とを対比するに、刊行物記載の発明における「圧縮機１」は、その形状・構造又は技術的意義からみて、本願発明における「圧縮機」に相当し、以下同様に、「吸気６」は「吸気」に、「燃焼器５」は「燃焼室」に、「タービン２」は「タービン」に、「燃焼ガス」は「高温燃焼空気」に、「増大又は減少させる」は「増大又は低減する」に、「タービン出力」は「ガスタービンユニットからの軸動力の発生」及び「ガスタービンユニットによって発生する軸動力」に、「液滴噴霧装置」は「液滴噴射装置」に、「吸い込み気体」は「吸気の流れ」に、「タービン出力を増大させるために」は「軸動力の所望な増大の場合」に、「タービン出力を増大させる量の液体」は「ガスタービンユニットの軸動力の所望な増大に対応する液体流量」に、「供給される」は「追加される」に、「方法」は「プロセス」に、それぞれ、相当する。
　
　してみると、本願発明と刊行物記載の発明は、
「圧縮機が供給された吸気を圧縮し、圧縮された空気を排出し、燃焼室が前記圧縮機から排出された圧縮空気と共に燃料を燃焼させ、タービンが前記燃焼室から排出される高温燃焼空気によって駆動される、ガスタービンユニットからの軸動力の発生を増大または低減するためのプロセスにおいて、
　ガスタービンユニットによって発生する軸動力を増大するために、前記圧縮機の上流側に設けられた少なくとも１個の液滴噴射装置によって、液体が吸気の流れに噴射され、軸動力の所望な増大の場合、ガスタービンユニットの軸動力の所望な増大に対応する液体流量が、液滴の形態で、実質的に無段階に、そして時間間隔内で直ちに追加され、この時間間隔が液滴流量を増大させるために液滴噴射装置の設計特性によって実質的に決定されるプロセス。」 
　である点で一致し、次の（ａ）の点で相違する。  
　
＜相違点＞
　（ａ）本願発明においては、圧縮機が１５よりも大きな圧力比で作動するのに対し、刊行物記載の発明においては、圧縮機がどのような圧力比で作動するか明らかでない点（以下、「相違点Ａ」という。）。
　
４　判断
　ガスタービン用の圧縮機において、圧力比を１５より大きな圧力比とすることは、周知技術（前記周知技術１）にすぎない。
　したがって、刊行物記載の発明において、周知技術１を採用することにより、上記相違点Ａに係る本願発明の発明特定事項をなすことは、当業者が容易に想到できたことである。
　
５　むすび
　以上のとおり、本願発明は、刊行物記載の発明及び周知技術１に基づいて当業者が容易に発明をすることができたものであるから、特許法第２９条第２項の規定により特許を受けることができない。 
　 
　よって、結論のとおり審決する。
　
６　付言
　請求人は、平成２３年１月２０日付け回答書において、＜手続補正案＞なるものを添付している。
　しかしながら、仮に、上記＜手続補正案＞が審判請求と同時に提出されていたとしても、特許請求の範囲の請求項４についての補正は、特許請求の範囲の減縮を目的とするものではなく、請求項の削除、誤記の訂正、明りょうでない記載の釈明を目的とするものでもないから、上記＜手続補正案＞による補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　また、上記刊行物（例えば段落【００２２】、【００６９】）には、タービン出力を減少させようとするときに、タービン出力の減少に対応する量の液滴を減少させる点も記載されているから、上記＜手続補正案＞の特許請求の範囲の請求項４に係る発明は、引用文献及び刊行物並びに周知技術１及び２に基いて当業者が容易に発明をすることができたものであり、特許法第２９条第２項の規定により特許を受けることができないものである。
　また、上記＜手続補正案＞の特許請求の範囲の請求項１に係る発明も、引用文献及び刊行物並びに周知技術１及び２に基いて当業者が容易に発明をすることができたものであるから、特許法第２９条第２項の規定により特許を受けることができないものである。